(57)【要約】【課題】ペットの体脂肪を、多くの手間を要することなく、ペット用体脂肪測定具を用いてインピーダンス法により極めて容易に且つ精度良く測定することを可能にするペット用体脂肪測定具用電極カバーを提供する。【解決手段】本発明のペット用体脂肪測定具用電極カバー２０は、導通補助液を含浸しており、電流用電極１４及び電圧用電極１３を２個づつ備え、ペットの体の一部に押しつけて用いる電極体１１と、電極体１１と接続して測定時に流す電流を制御すると共に、測定電圧から計測された生体インピーダンスに基づいて体脂肪を算定するインピーダンス計測回路を備える制御算定部１２とを具備してペットの体脂肪を測定するペット用体脂肪測定具１０に嵌合して用いられる。電極カバー２０を嵌合させたペット用体脂肪測定具１０をペットの体の一部に押し付けた際に、含浸させた導通補助液が電極カバーの内側と外側に浸み出すようになっている。【選択図】図２
2007175108.tif 000002
【特許請求の範囲】
【請求項１】
電流用電極及び電圧用電極を少なくとも２個づつ備え、ペットの体の一部に押しつけて用いる電極体と、前記電極体と接続して測定時に流す電流を制御すると共に、測定電圧から計測された生体インピーダンスに基づいて体脂肪を算定するインピーダンス計測回路を備える制御算定部とを具備してペットの体脂肪を測定するペット用体脂肪測定具に嵌合させる、電極を覆う部分が突起となっており、導通補助液を含浸させたペット用体脂肪測定具用電極カバー。
【請求項２】
前記電極カバーを嵌合させたペット用体脂肪測定具をペットの体の一部に押し付けた際に、含浸させた導通補助液が電極カバーの内側と外側に浸み出すものである請求項１記載のペット用体脂肪測定具用電極カバー。
【請求項３】
前記ペット用体脂肪測定具の電極体が突起状であり、前記電極を覆う部分が当該突起状電極体に嵌合する突起となっている請求項１又は２に記載のペット用体脂肪測定具用電極カバー。
【請求項４】
前記電極カバーをペットの体の一部に押し付けた際に、先端部が潰れるものである請求項１〜３のいずれかに記載のペット用体脂肪測定具用電極カバー。
【請求項５】
前記電極カバーをペットの体の一部に押し付け、先端部が潰れた際に、当該電極カバーが電極及び皮膚に密着する請求項４記載のペット用体脂肪測定具用電極カバー。
【請求項６】
前記ペット用体脂肪測定具用電極カバーの突起の先端部が円錐状であり、先端部分が曲率半径０．５〜２．５ｍｍの曲面を有している請求項１〜５のいずれかに記載のペット用体脂肪測定具用電極カバー。
【請求項７】
前記電極体の電圧用電極と電流用電極間の距離、及び前記電極体の電圧用電極と電圧用電極間の距離が固定されている前記ペット用体脂肪測定具に用いるものである請求項１〜６のいずれかに記載のペット用体脂肪測定具用電極カバー。
【請求項８】
前記電極カバーが使い捨てのものである請求項１〜７のいずれかに記載のペット用体脂肪測定具用電極カバー。
【請求項９】
請求項１〜８のいずれかに記載のペット用体脂肪測定具用電極カバーを前記ペット用体脂肪測定具に嵌合させ、ペットの体の一部に押し付けてインピーダンスを測定することによるペットの体脂肪測定方法。
【発明の詳細な説明】
【技術分野】
【０００１】
本発明は、生体インピーダンスを計測して犬又は猫等のペットの小動物の体脂肪を測定するペット用体脂肪測定具に用いる電極カバー、及びペットの体脂肪測定方法に関する。
【背景技術】
【０００２】
近年の豊かな食料事情により肥満が問題となってきている。肥満は、心疾患、動脈硬化、高血圧、糖尿病等の生活習慣病の大きな要因であると認識されるようになったことから、体内における脂肪の蓄積量を管理することが日々の健康を維持増進するために重要であると考えられ、このための体脂肪計が種々開発されている。このような体脂肪計の一つとして、生体インピーダンスを計測するインピーダンス法による体脂肪測定装置が知られている（例えば、特許文献１参照）。
【０００３】
一方、ペット用の小動物である犬や猫等に対しても食料事情が豊かになってきており、例えばペットへの愛着心が強い飼い主は、犬や猫等が肥満にならないようにペットの体脂肪を適切に管理して、給餌量をコントロールし、犬や猫等の健康の維持増進を図ることを望んでいる場合が多い。また、人体に対して用いられていたインピーダンス法による体脂肪の測定方法を、動物である家畜に応用したインピーダンス測定器具も開示されている（例えば、特許文献２参照）。更に、ペットの体毛は絶縁体であるため、より測定精度を高めるべく、ペットに接触させる電極の形状を改良したり（例えば、特許文献３参照）、接触部位と電極との間に電解液を担持させたり（例えば、特許文献４参照）、電極を接触させる部位を体毛の少ない四肢の付け根に特定した技術もある（例えば、特許文献５参照）。
【０００４】
【特許文献１】特開２００２−３６９８０６号公報
【特許文献２】特開２００２−２５３５２３号公報
【特許文献３】特開２００３−１４４００５号公報
【特許文献４】特開２００５−２７６６１号広報
【特許文献５】特開２００４−２５４６１６号公報
【発明の開示】
【発明が解決しようとする課題】
【０００５】
従来技術においては、前述のように測定精度を高めるために特別な装置を用いなければならなかったり、測定部位の被毛を櫛等でかき分けた後に導通補助液を含浸させた脱脂綿で清拭したり、特別な部位で測定しなければならない等ある程度の制約がある。そこで、本発明は、被毛のあるペットの体脂肪をインピーダンス法により測定する際でも、被毛の存在を気にすることなく、簡便にペットの体脂肪を測定することができる手段を提供することを目的とする。
【課題を解決するための手段】
【０００６】
上記課題について本発明者らが検討した結果、ペットの被毛をかき分ける構造となっており、電解質を溶解させた導通補助液を含浸させることができ、かつペット用体脂肪測定具の電極に嵌合させる道具があれば、短時間で簡便にペットの体脂肪を測定可能であることを見出した。
【０００７】
すなわち、本発明は、電流用電極及び電圧用電極を少なくとも２個づつ備え、ペットの体の一部に押しつけて用いる電極体と、前記電極体と接続して測定時に流す電流を制御すると共に、測定電圧から計測された生体インピーダンスに基づいて体脂肪を算定するインピーダンス計測回路を備える制御算定部とを具備してペットの体脂肪を測定するペット用体脂肪測定具に嵌合させる、電極を覆う部分が突起となっており、導通補助液を含浸させたペット用体脂肪測定具用電極カバーを提供することにより、上記課題を解決したものである。
【０００８】
また、本発明は、上記ペット用体脂肪測定具用電極カバーをペット用体脂肪測定具に嵌合させ、ペットの体の一部に押し付けてインピーダンスを測定することによるペットの体脂肪測定方法を提供することにより、上記課題を解決したものである。
【発明の効果】
【０００９】
本発明のペット用体脂肪測定具用電極カバー及び当該ペット用体脂肪測定具用電極カバーを用いたペットの体脂肪測定方法によれば、犬や猫等のペット用の小動物の体脂肪を、インピーダンス法によって極めて容易に且つ精度良く測定することができる。
【発明を実施するための最良の形態】
【００１０】
本発明のペットの体脂肪測定方法における「体脂肪」という語は、特別明記しない限り、「体脂肪率」と「体脂肪量（重量、体積）」の両方を含む概念である。
【００１１】
本発明のペット用体脂肪測定具用電極カバーは、電流用電極及び電圧用電極を少なくとも２個づつ備え、ペットの体の一部に押しつけて用いる電極体と、前記電極体と接続して測定時に流す電流を制御すると共に、測定電圧から計測された生体インピーダンスに基づいて体脂肪を算定するインピーダンス計測回路を備える制御算定部とを具備してペットの体脂肪を測定するペット用体脂肪測定具に嵌合させるものである。ペット用体脂肪測定具に嵌合させた際に、使用時に簡単に外れたりしないことが好ましい。
【００１２】
また、本発明のペット用体脂肪測定具用電極カバーは、電極を覆う部分が突起となっていることが必要である。突起の形状は、円柱状、円錐状等いずれでも良いが、使用時にペットの被毛をかき分ける効果の点から円錐状であることが好ましい。
【００１３】
本発明のペット用体脂肪測定具用電極カバーは、これを嵌合させたペット用体脂肪測定具をペットの体の一部に押し付けた際に、含浸させた導通補助液が電極カバーの内側と外側に浸み出すものであることが、体脂肪の測定精度が高くなる点から好ましい。浸み出す量は、含浸させた導通補助液全体の４０〜８０質量％（以下、単に「％」で示す）が好ましく、更に４５〜７８％、特に５０〜７５％であることが好ましい。
【００１４】
本発明のペット用体脂肪測定具用電極カバーは、素材は紙、パルプ、スポンジ（ウレタン、ポリエチレン、ポリスチレン等）、脱脂綿、不織布等が挙げられるが、導通補助液の含浸させ易さと浸み出し易さ、保型性、加工特性、低コスト等の点から不織布であることが好ましい。不織布としては、例えば、スパンレース不織布、スパンボンド不織布、サクション不織布、ヒートボンド不織布、メルトブローン不織布、又はニードルパンチ不織布等が挙げられる。
【００１５】
不織布を形成する繊維としては、例えばポリエチレン（ＰＥ）、ポリプロピレン（ＰＰ）、ポリエチレンテレフタレート（ＰＥＴ）、ポリアミド（ＰＡ）の単独繊維若しくは２以上の混合繊維、又はこれらの繊維から形成された芯鞘構造複合繊維、サイドバイサイド構造等を有する複合繊維等が挙げられるが、特に電極カバーの成型性の点から芯鞘構造複合繊維が好ましい。また、不織布を形成する繊維の直径は、導通補助液の含浸量、適度な保型性を与える点から０．５〜３０デニールが好ましく、更に２〜２０デニールが好ましい。
【００１６】
不織布の坪量は、導通補助液の含浸量、適度な保型性、ペットの測定部位に押し付けた際に含浸させた導通補助液が浸み出す点から５０〜４００ｇ／ｍ2が好ましく、更に７０〜２５０ｇ／ｍ2、特に８０〜２００ｇ／ｍ2が好ましい。不織布の厚さは、導通補助液の含浸量、適度な保型性の点から０．１〜５ｍｍが好ましく、更に０．１３〜２ｍｍ、特に０．１５〜１ｍｍが好ましい。
【００１７】
本発明のペット用体脂肪測定具用電極カバーは、導通補助液が含浸されていることが必要である。導通補助液は、例えば塩化カルシウム、塩化ナトリウム、塩化カリウム等の電解質を溶解した水溶液が挙げられる。これらの電解質の濃度は、導電性、皮膚のべたつきのなさの点から０．０３〜１０％、好ましくは０．２〜１０％、特に０．５〜５％とすることが好ましい。当該電極カバー中の導通補助液の含浸量は、電極１個当たり０．３〜２．５ｍｌであることが、導電性の点から好ましく、更に１〜２．２ｍｌ、特に１．５〜２ｍｌが好ましい。
【００１８】
また、ペットの体への導通補助液の付着性を高めるため、増粘剤を用いて導通補助液の粘度を上げることも好ましい。増粘剤としては、アクリル酸重合物やＣＭＣ、ペクチン、キサンタンガムなどの食品添加物があげられるが、ペットが舐めることを考えると、食品添加物であることが好ましい。これらの導通補助液の粘度は１〜１２００００ｃｐｓの範囲で、ペットの毛の量等の状態に応じて適宜選択可能であるが、好ましくは１〜４０ｃｐｓ、特に１〜２０ｃｐｓであることにより、電極と体表面の間に体毛が存在しても、導通補助液がよりよく浸潤して電気的導通が向上し、精度の良い測定が可能になる点から好ましい。
【００１９】
本発明のペット用体脂肪測定具用電極カバーを嵌合させるペット用体脂肪計は、その電極体の形状は、円形状、円筒状、平板状、凸状等が挙げられるが、突起（凸状）となっていることが、本発明のペット用体脂肪測定具用電極カバーを覆いかつ嵌合させる点、脇やそけい部ではなくその他の部位に押し付け易い点から好ましい。また、電極の大きさは、ペットの体の大きさや、適用部位により適宜調整されるが、犬や猫であれば、円筒状の場合、外径が５〜２０ｍｍ程度、内径が３〜１８ｍｍ程度、長さが５〜３０ｍｍ程度が好ましく、突起の場合、外径が２〜３０ｍｍ、更に３〜１０ｍｍ程度、高さが２〜１５ｍｍ、更に３〜１２ｍｍ程度が好ましい。なお、電圧用電極と電流用電極の大きさは特に同一でなくても構わない。更に、形状は突起でも、球や紡錘体の表面のように単一の滑らかな凸面からなる形状であっても構わない。
【００２０】
本発明のペット用体脂肪測定具用電極カバーを嵌合させるペット用体脂肪計は、その電極体部分と制御算定部が別々にあり、これらがコードで接続されていても良いが、図２のように電極体１１と制御算定部１２が一体化されたものとすることが、接続するコードが不要となり、ペット用体脂肪測定具をよりコンパクトなものとすることができ、１名でも場所を選ばずに測定が可能である。なお、この場合、制御算定部１２には表示部１５も有することが好ましい。また、一体化することによってコードがなくなるため、コードのインピーダンスを補正する必要がなく、精度良く生体インピーダンスを測定することができる点から好ましい。更に、コードがなくなることにより、ペットが測定中にコードに足を引っ掛かる等により測定精度に影響が生じたり、怪我をしたり、測定が中断することがなくなる点からも好ましい。
【００２１】
本発明のペット用体脂肪測定具用電極カバーは、電極体が突起の場合、電極カバーの一部が電極体に嵌合していることが、体脂肪の測定精度を高める点から好ましい。また、電極カバーの突起の先端部が底面から先端部にいくに従って細くなるものであることが、使用時にペットの被毛をかき分ける効果がある点から好ましい。即ち、電極カバーの電極体に嵌合する部分の形状は電極体の形状に合わせ、その先端が細くなっている構造であることが好ましい。電極カバーの電極と嵌合する部分の高さは、使用時に簡単に外れない点から３〜２０ｍｍであることが好ましく、更に５〜１５ｍｍ、特に７〜１０ｍｍであることが好ましい。電極カバーの先端部の細くなっている部分の高さは、ペットの被毛をかき分ける効果の点から３〜１０ｍｍが好ましく、更に５〜１０ｍｍ、特に７〜１０ｍｍであることが好ましい。また、先端部の形状は、円錐状、円柱状、三角錐状、四角錐状等が挙げられるが、円錐状であることがペットの被毛をかき分ける効果に優れる点から好ましい。
【００２２】
本発明のペット用体脂肪測定具用電極カバーは、未使用時には導通補助液を含浸し、使用時にペットの測定部位に押し付けた際にカバーが圧縮又は変形して導通補助液が浸み出す点から、軟らか過ぎず、硬過ぎず、適度な保型性を有することが好ましい。保型性の程度は、電極カバーをペットの体の一部に押し付けた際に、先端が潰れるものであることが好ましく、更に、先端部が潰れた際に、当該電極カバーが電極及び皮膚に密着することが、導通補助液を通じてインピーダンスを測定することができ、体脂肪の測定精度が高くなる点から好ましい。特に先端部が突起状となっている場合には、電極カバーをペットの体の一部に押し付けた際に、先端が潰れるものであることが好ましい。保型性は、次に示す座屈強度により測定することができ、０．１〜５Ｎが好ましく、更に０．５〜３Ｎ、特に１〜２Ｎであることが、電極体及び皮膚への密着性の点から好ましい。
【００２３】
〔座屈強度の測定方法〕
（株）オリエンテック製テンシロンＲＴＭ２５において、最大荷重５０Ｎのロードセルを用いヘッドスピード１００ｍｍ／ｍｉｎ．の圧縮条件下で得られた荷重と変位の関係図の中で、測定開始後最初のピークをその突起の座屈強度とした（ｎ＝１０の平均値。それぞれ突起１個について測定。）。
【００２４】
本発明のペット用体脂肪測定具用電極カバーを嵌合させるペット用体脂肪測定具は、電極体が電流用電極と電圧用電極を少なくとも２個づつ備えることが必要であるが、３個以上備え、それぞれの電極間のインピーダンスを計測することにより、更に正確に測定することが可能となる。当該電極の材料は導電性であることが必要であり、白金、銀、塩化銀、銅、鉄、アルミニウム、黄銅、ステンレス等の金属を用いることができるが、錆びにくいという点からステンレスを用いることが好ましい。
【００２５】
本実施形態のペット用体脂肪測定具用電極カバーを嵌合させるペット用体脂肪測定具は、前記電極体の電圧用電極と電流用電極間の距離、及び電圧用電極と電圧用電極間の距離が固定されていることが、インピーダンスの測定値に変動が生じない点、電極カバーを嵌合させる点から好ましい。ペット用体脂肪測定具用電極カバー１０は、具体的には、図１（ａ）〜（ｄ）に示すものが挙げられ、例えば図２に示すように、ペット用体脂肪測定具１０の電極体１１を覆い、本実施形態のペット用体脂肪測定具用電極カバー２０を嵌合させ、突起２１の先端部２１ａをペットの体の一部に押し付け、測定時に流す電流を制御すると共に、測定電圧から計測された生体インピーダンスに基づいて体脂肪を算定するインピーダンス計測回路を備える制御算定部１２により、体脂肪（体脂肪率、体脂肪量）を求める。電圧用電極１３と電流用電極１４に装着される突起２１の先端部２１ａを押し付ける部位は、ペットの胴体部の肩甲骨から腸骨までの間で体側側から見た胴体の背部側半分の範囲であることが、動きのあるペットにおいても測定がし易い点、インピーダンス値と体脂肪率の相関性が高い点等から好ましい（図５（ａ）〜（ｄ）参照）。
【００２６】
電極体１１の電圧用電極１３と電流用電極１４間の距離は、図２に示すように、その中心間距離Ｌ1が５〜３０ｍｍ、更に６〜２０ｍｍ、特に８〜１５mm、電圧用電極１３と電圧用電極１４間の距離は、その中心間距離Ｌ2が１０〜３００ｍｍ、更に１０〜２００ｍｍ、特に１５〜１００ｍｍ、殊更２０〜６０mmであることが、インピーダンス値と体脂肪率の相関性が高い点から好ましい。また、それぞれの電極１３，１４間は、絶縁体により隔てられていることが好ましい。絶縁体としては、ゴム、プラスチック、木材等が用いられることが好ましい。
【００２７】
さらに、電極体１１の電流用電極１４及び電圧用電極１３は、図２に示した直線状の配置に限られず、例えば、図３のようにスクエア状に２列に配置することもでき、この場合、本発明のペット用体脂肪測定具用電極カバーは、図１（ｄ）に示すように電極１３，１４の配置に合わせてその形態が設定される。
【００２８】
本実施形態のペット用体脂肪測定具用電極カバー２０を嵌合させるペット用体脂肪測定具１０を構成する制御算定部１２は、ペット用体脂肪測定具１０の内部に一体型に設置され、例えばマイクロコンピュータ等による公知の制御機構が組み込まれていると共に、公知のインピーダンス計測回路が組み込まれており、電極体１１の電流用電極１４及び電圧用電極１３と各々内部で接続し、測定時に流す電流を制御できるようになっている。また測定電圧から計測した生体インピーダンスに基づいて体脂肪率を算定し、算定した体脂肪率を測定データとして蓄積すると共に、例えば表示部１５に表示することができるようになっている。また、体重を別途入力すれば、体脂肪量（重量）を表示することができる。
【００２９】
制御部算定部１２の中の測定手段は、電流源と電圧計を備える。電流源は扱いやすさの観点から交流であることが好ましく、交流の周波数は、通常５０ｋＨｚが用いられるが、さらに５０〜８００ｋＨｚ、特に８０〜６００ｋＨｚとすることが、測定精度向上の点から好ましい。また、この時の電流値は通常０．１〜１ｍＡを用いることができる。電圧計による電圧値（電圧の振幅又は実効値）の測定の際に位相遅れを同時に測定してもよく、その場合、測定した位相遅れをデータ解析に利用することもできる。また制御算定部１２のインピーダンス計測回路には、測定電圧と生体インピーダンスや体脂肪率との相関関係に関するデータが予め入力されており、測定電圧から計測した生体インピーダンスに基づいて体脂肪率、又は別途入力した体重のデータを乗じた体脂肪量（重量）を容易に算定することができるようになっている。本実施形態のペット用体脂肪測定具１０は、ペットの種類、大きさ等を問わないが、場合により、さらに、制御算定部１２に体脂肪を測定するペットの種類、性別、体重等が初期データとして入力されることにより、ペットの種類等に応じた適切な相関関係を示すデータをインピーダンス計測回路において選定して、より精度良く体脂肪を算定することができるようになっている。
【００３０】
なお、インピーダンス計測回路を備える制御算定部は、ペット専用の単独のものとしても良いが、通常、人に用いられる体脂肪測定具の内部に組み込み、これに電極から延接される接続コードを接続し、スイッチ等で切り替えてペット用として使用し、ペットの体脂肪を表示させても良い。
【００３１】
本実施形態においては、ペット用体脂肪測定具用電極カバー２０を嵌合させたペット用体脂肪測定具１０を用いて測定する際、ペットの体が汚れている場合は、予め皮脂を取り除くことが好ましい。この手段として有機溶剤、界面活性剤を含浸させたスポンジ、織布、不織布、脱脂綿等で電極カバー２０を押し当てる部位を拭き取ることができる。有機溶剤としては、例えばエタノール、イソプロピルアルコール等の水溶性のものが用いられる。これら有機溶剤は、１種以上を１０〜１００体積％、特に５０〜１００体積％の濃度の水溶液で使用することが好ましい。界面活性剤としては、アルキル硫酸塩、ポリオキシエチレンアルキルエーテル硫酸塩等のアニオン界面活性剤、アルキルジメチルアミノ酢酸ベタイン、アルキルカルボキシメチルヒドロキシエチルイミダゾリニウムベタイン、アルキルアミドプロピルベタイン等の両性界面活性剤等が用いられるが、（獣）医学的に安全性の高いものとして、特に非イオン界面活性剤、とりわけ脂肪酸エステル型非イオン界面活性剤、ポリオキシアルキレン型非イオン界面活性剤、アルキルアルカノールアミド型界面活性剤、又はアルキルグルコシド型非イオン界面活性剤を用いることが好ましい。これらの界面活性剤は、シャンプー等の洗い流すタイプであれば、１種以上を組成物中に１０〜２５体積％、特に１５〜２０体積％配合することが好ましく、洗い流さないタイプであれば、１種以上を組成物中に０．１〜５体積％、特に０．５〜２体積％配合することが好ましい。また、吸油性粉体を振りかけた後に拭き取ったり、極細繊維からなる織布による拭き取りにより皮脂を除去しても良い。
【００３２】
また、本発明においては、ペットの体が汚れている場合に、前記のように予め皮脂を取り除くために別途拭き取る他、ペット用体脂肪測定具用電極カバー２０に、導通補助液と共に前記の有機溶剤や界面活性剤を予め混合して含浸させておき、皮脂の除去と導通補助液の付与を同時に行うことも好ましい。また、雑菌等の付着や皮膚病の感染等、衛生面の懸念がある場合には、消毒の観点からエタノールを混合させることが好ましい。更に、一旦使用したペット用体脂肪測定具を用いて別のペットに使用する際に、電極部に付着した雑菌等や皮膚病の感染等、衛生面の懸念がある場合には、本発明のペット用体脂肪測定具用電極カバーを使い捨てとすることが好ましい。これにより、衛生面にも気を遣うことなく使用することができる。
【００３３】
また、図４に示すように、ペット用体脂肪測定具１０の各電極１３，１４に嵌合する部分の電極カバー２０の突起２１，２１の周囲に、各突起２１，２１の外周面から０．５〜１０mm、更に０．８〜５mm、特に１〜２mmの間隔をおき、１又は２個以上の補助突起２２を配することが、体毛の多いペットに電極体１３，１４を押し付けた場合に、軽い操作で体毛をかき分けることができ、突起２１，２１の先端部２１ａ，２１ａを容易に体表面に密着させることができる点から好ましい。２以上の補助突起２２を配する場合には、互いに独立したものであることが好ましい。各補助突起２２，２２の高さは、各突起２１，２１の先端部２１ａ，２１ａの高さ以下であり、かつその差が５mm以内、更に３mm以内、特に２mm以内であることが、体毛をかき分け易くし、かつ突起２１，２１の先端部２１ａ，２１ａを容易に体表面に密着させることができる点から好ましい。補助突起２２の数は、一つの突起２１につき１〜４個であることが好ましく、更に２個であることが、突起２１，２１の先端部２１ａ，２１ａを容易に体表面に密着させることができる点から好ましい。補助突起２２の断面は、長辺が１〜５mm、好ましくは２〜４mm、短辺が１〜３mm、好ましくは２〜３mmである楕円、矩形、一辺が１〜５mm、好ましくは２〜４mmの三角形、直径が１〜５mm、好ましくは２〜４mmの円形、又はこれらを組み合わせた形状を用いることが出来る。更に、補助突起２２の配置は、突起２１，２１の中心と、その突起２１，２１の周囲に配された補助突起２２の中心を結ぶ線が、ペットの体毛の流れ方向に垂直となるようにすることが、軽い操作で体毛をかき分けることができる点から好ましい。ペットの体毛は一般に頭部から尾部へ向かう方向に流れているため、例えば、図４に示したように、直線状の突起２１，２１の先端部２１ａ，２１ａの配置と同じ線上に補助突起２２を配置した場合は、正中線と垂直方向に突起２１，２１の先端部２１ａ，２１ａを押し付けて測定するのが好ましい。
【００３４】
以下、犬の場合を例に説明する。
【００３５】
すなわち、本実施形態のペット用体脂肪測定具用電極カバー２０をペット用体脂肪測定具１０に、図２に示すように嵌合し、生体インピーダンスを計測して犬の体脂肪を測定する。電極体１１には２個づつの電圧用電極１３及び電流用電極１４が、電流用電極１４と電圧用電極１３間の距離Ｌ1が１５ｍｍ、電圧用電極１３と電圧用電極１３間の距離Ｌ2が３０ｍｍとなるように直線状に配置されて取り付けられている。更に、インピーダンス計測回路が組み込まれ、電流用電極１４及び電圧用電極１３と接続して測定時に流す電流を制御すると共に、測定電圧から計測した生体インピーダンスに基づいて体脂肪を算定する制御算定部１２を備えている。そして、本実施形態のペット用体脂肪測定具１０に嵌合したペット用体脂肪測定具用電極カバー２０の突起２１，２１の先端部２１ａ，２１ａを、例えば図５（ａ）及び（ｂ）に示すように、好ましくは犬の胴体部で肩甲骨か腸骨までの間で体側側から見た胴体の背部側半分の範囲で、犬の最後肋骨周囲部に押し付けるようにして使用する。
【００３６】
また、例えば図５（ｃ）に示すように、背骨の正中線と好ましくは２０ｍｍ程度平行にずらせた位置において、一列に配置したペット用体脂肪測定具用電極カバー２０の突起２１，２１の先端部２１ａ，２１ａを押し付けるようにして使用することもでき、例えば図５（ｄ）に示すように、背骨の正中線と垂直な方向において、一列に配置したペット用体脂肪測定具用電極カバー２０の突起２１，２１の先端部２１ａ，２１ａを押し付けるようにして使用することもできる。さらに、電流用電極１４及び電圧用電極１３をスクエアに２列に配置した図３に示す電極体１１を備えるペット用体脂肪計１０を用いる場合には、例えば図５（ｅ）に示すように、ペット用体脂肪測定具用電極カバー２０の突起２１，２１の先端部２１ａ，２１ａを背骨を挟んだ片側に押し付けるようにして使用することもできる。
【００３７】
本実施形態のペット用体脂肪測定具用電極カバー２０を嵌合したペット用体脂肪測定具１０を用いてペットの体脂肪を測定するためには、予め重水希釈法等により正確に体脂肪率を測定し、本実施形態のペット用体脂肪測定具により測定したインピーダンス値との間に関係式を作成しておくことが好ましい。その後は、単にインピーダンス値を測定するのみでペットの体脂肪率を算定することが可能である。更に、体重を別途入力しておけば、生体インピーダンスを測定すると同時に体脂肪量（重量）を算定し、即座に表示部に表示することができるようになっている。
【実施例】
【００３８】
以下、実施例により、本発明をさらに詳細に説明する。
【００３９】
試験例１
〔重水希釈法による体脂肪率測定〕
まず、Burkholderらの方法1)に準じ、下記に示す８０頭の犬）の体脂肪率を正確に測定した。ただし無麻酔にて行なった。頚静脈より6ｍｌ採血し、血清分離を行い、重水注入前の血清サンプルとした。次に前足静脈に翼状針を留置し、重水をシリンジに0.2ml／(kg体重)計り取り注入し、さらにヘパ生10ｍｌを注入した。注入前後のシリンジの重量を測定し差分を重水の注入量(WD2O)gとした。重水の拡散時間として90分間とった。その後再び反対の頚静脈より6ｍｌ採血し、血清分離を行い注入後の血清サンプルとした。IRMSにて重水濃度を分析した。注入前の血清サンプル中の濃度を(C1)ppm注入後を(C2)ppm、注入した重水の量を(WD2O)ｇとした。体重を(BW)kgとして下の計算式により体脂肪率を算出した。
体脂肪率（％）＝100−｛105 WD2O／(C2−C1)｝／0.732ＢＷ
[1]：William J. Burkholder, Craig D. Thatcher  AJVR 59(8) 1998 927-937]
測定に供試験された犬：ポメラニアン（３）、日本テリア、パグ（２）、シェットランドシープドッグ、ゲレートデーン、アラスカンマラミュート（２）、ウェルシュコーギーペンブローク（５）、キャバリアキングチャールズスパニエル、アメリカンコッカースパニエル、ミニチュアシュナウザー（２）パピヨン、マルチーズ（２）、ブルドッグ、アイリッシュセッター、バセットハウンド（２）、イングリッシュスプリンガースパニエル、ラサアプソ、ミニチュアダックスフンド（９）、チワワ（８）、柴犬（２）、トイプードル（２）、ラブラドールレトリーバー（３）、ジャックラッセルテリア（３）、グレイハウンド、ダルメシアン、ゴールデンレトリーバー（３）、ヨークシャーテリア（２）、シーズー（３）、ウェストハイランドホワイトテリア、ボーダーコリー、秋田犬、ビーグル（１１）、ウェルシュコーギーカーディガンであった。
なお（  ）内はその犬種の症例数、記載のない犬種はすべて１症例である。
【００４０】
試験例２
〔ペット用体脂肪測定具によるインピーダンス測定〕
図２に示した電極体１１の電圧用電極１３と電流用電極１４間の距離Ｌ1を１５mm、及び電圧用電極１３と電圧用電極１３間の距離Ｌ2を３０mmに設定したペット用体脂肪測定具、及び９９．５％エタノール（和光純薬工業(株)）７０ｍｌに水３０ｍｌを加え、これに塩化ナトリウム（和光純薬工業(株)）０．５ｇを溶解させた導通補助液を用意した。前記重水希釈法により体脂肪率測定を行った各犬に対し、前記導通補助液８ｍｌにて図５（ａ）に示す犬の最後肋骨上周辺を清拭後、前記ペット用体脂肪測定具の電極部を前記導通助補液を塗布した部位に押し付け、インピーダンスを計測した。この時の電流値は約０．２ｍＡ、周波数は５０ｋＨｚとした。各犬の重水希釈法による体脂肪率とインピーダンス測定値の関係、及び相関係数を図６に示した。
【００４１】
以上の結果から求められたインピーダンス値から体脂肪率を算出する計算式（重水法による体脂肪率（％）＝０．１７×インピーダンス値（Ω）＋１．５０）を、試験例２で使用したペット用体脂肪測定具の制御算定部に入力し、測定と同時に表示部に体脂肪率が表示されるようにした。この体脂肪測定具を用いて、次の実験を行った。
【００４２】
実施例１〜７及び比較例１〜２
〔本発明品を使用した体脂肪率測定〕
試験例２で使用したペット用体脂肪測定具に嵌合させることのできる表１に示した特性値を有するペット用体脂肪測定具用電極カバー（形態は図１（ｂ））を８種類作成し、それぞれ次の手順で体脂肪率の測定を行った。まず、試験例２で使用したのと同じ導通補助液８ｍｌをペット用体脂肪測定具用電極カバーに含浸させ、これを前記ペット用体脂肪測定具に嵌合させた。次に、１頭の犬（ビーグル犬、メス、体重１８．２ｋｇ、５才）に対し、図５（ａ）に示す犬の最後肋骨上周辺の部位に押し付け、体脂肪率を計測した。結果を表１に示す。なお、この時の電流値は約０．２ｍＡ、周波数は５０ｋＨｚであった。
【００４３】
比較例３
ペット用体脂肪測定具用電極カバーを用いずに図３（ａ）の部位を、試験例２で使用したのと同じ導通補助液で清拭し、かつ櫛で被毛をかき分け、ペット用体脂肪測定具の電極体を押し付け、体脂肪率を計測した。
【００４４】
〔測定精度の評価〕
比較例３の体脂肪率を基準値とし、各実施例及びその他の比較例の値との差を求めることにより、測定精度を評価した。
【００４５】
〔簡便性の評価〕
測定開始から表示部に体脂肪率が表示されるまでの時間（測定時間）を計測することにより評価した。
【００４６】
〔総合評価〕
前記測定精度の評価結果及び簡便性の評価結果から、表２に示した基準にて評価を行った。結果を表１に示す。
【００４７】
【表１】
2007175108.tif 000003
【００４８】
【表２】
2007175108.tif 000004
【００４９】
表１に示した結果から、本発明品であるペット用体脂肪測定具用電極カバーを使用したものは、精度良く、かつ短時間で簡便に体脂肪率の測定ができることが明らかとなった。
【図面の簡単な説明】
【００５０】
【図１】（ａ）〜（ｄ）は、本発明の一実施形態に係るペット用体脂肪測定具用電極カバーを例示する斜視図である。
【図２】本発明の一実施形態に係るペット用体脂肪測定具用電極カバーをペット用体脂肪測定具に嵌合して用いる具体例を説明する斜視図である。
【図３】電極体の他の実施形態を例示する斜視図である。
【図４】本発明の他の実施形態に係るペット用体脂肪測定具用電極カバーをペット用体脂肪測定具の嵌合した状態の説明図である。
【図５】（ａ）〜（ｅ）は、本発明のペット用体脂肪測定具用電極カバーを嵌合したペット用体脂肪測定具を犬に対して使用する際の説明図である。
【図６】図２に示した本発明品を使用しないペット用体脂肪測定具用を用い、インピーダンスを測定し、重水希釈法による体脂肪率との関係を示した図である。
【符号の説明】
【００５１】
１０  ペット用体脂肪測定具
１１  電極体
１２  制御算定部
１３  電圧用電極
１４  電流用電極
１５  表示部
２０  ペット用体脂肪測定具用電極カバー
２１  突起
２１ａ  突起の先端部
２２  補助突起
Ｌ1   電圧用電極と電流用電極との中心間距離
Ｌ2   電圧用電極と電圧用電極との中心間距離
【図１】
2007175108.tif 000005
【図２】
2007175108.tif 000006
【図３】
2007175108.tif 000007
【図４】
2007175108.tif 000008
【図６】
2007175108.tif 000009
【図５】
2007175108.tif 000010